(57)【要約】【課題】アイコン等の複数の画面表示要素を一括して削除する一括削除指示が行われた際に、複数の画面表示要素を一括して削除して良いか否かを使用者が判断可能とする。【解決手段】表示部３２は、液晶パネル等の表示装置により構成され、各種アプリケーションプログラム（以下アプリと略す。）に対応したアイコンを画面上に複数表示可能な構成となっている。操作受付部３５は、表示部３２により表示された複数のアイコンを一括して削除する指示である一括削除指示を受け付ける。制御部３１は、操作受付部３５により一括削除指示が受け付けられた際に、一括削除指示が行われた複数のアイコンが予め設定された条件を満たす場合、報知内容の異なる削除可否を確認するための複数の確認画面を表示部３２上で段階的に表示するよう制御する。【選択図】図３
2019057012.tif 000002
【特許請求の範囲】
【請求項１】
画面に表示する構成要素である画面表示要素を画面上に複数表示可能な表示手段と、
前記表示手段により表示された複数の画面表示要素を一括して削除する指示である一括削除指示を受け付ける受付手段と、
前記受付手段により一括削除指示が受け付けられた際に、一括削除指示が行われた複数の画面表示要素が予め設定された条件を満たす場合、報知内容の異なる削除可否を確認するための複数の確認画面を前記表示手段上で段階的に表示するよう制御する表示制御手段と、
を備えた情報処理装置。
【請求項２】
前記複数の確認画面が、複数の画面表示要素に対する一括の削除指示を行う際の一般的な注意を表した上で削除可否を確認する第１の確認画面と、今回の削除指示が行われた複数の画面表示要素に実際含まれている画面表示要素が削除された場合に発生する問題を表した上で削除可否を確認する第２の確認画面とを含む
請求項１記載の情報処理装置。
【請求項３】
前記第１の確認画面が、一括削除する複数の画面表示要素に、使用者により予め設定された内容の処理を実行するための画面表示要素、または削除されると有効であった特定の機能が無効となってしまう画面表示要素が含まれている場合に、問題が発生する旨を報知した上で削除可否を確認する確認画面である請求項２記載の情報処理装置。
【請求項４】
前記複数の確認画面が、画面表示要素が削除されることにより発生する問題の種類毎に当該問題が発生する理由を表して削除可否を確認する複数の確認画面である請求項１記載の情報処理装置。
【請求項５】
画面表示要素が削除されることにより発生する問題の種類毎に当該問題が発生する理由を表して削除可否を確認する複数の確認画面が、削除された画面表示要素を復元するためには、再作成に時間を要する旨を表した確認画面、その画面表示要素を削除すると他の使用者に影響を及ぼす旨を表した確認画面、およびその画面表示要素を削除すると有効であった特定の機能が無効となってしまう旨を表した確認画面のうちのいずれか複数を含む請求項４記載の情報処理装置。
【請求項６】
前記受付手段により受付けられる一括削除指示が、複数の画面表示要素が配置されたページに対する削除指示である請求項１から５のいずれか記載の情報処理装置。
【請求項７】
前記ページに対する削除指示が、同一階層上に配置された全画面表示要素を一括して削除する指示である請求項６記載の情報処理装置。
【請求項８】
前記ページに対する削除指示が、同一階層上に配置された全画面表示要素のうち、画面上において視認可能な画面表示要素を一括して削除する指示である請求項６記載の情報処理装置。
【請求項９】
前記受付手段により受付けられる一括削除指示が、複数の画面表示要素が含まれたフォルダに対する削除指示である請求項１から５のいずれか記載の情報処理装置。
【請求項１０】
前記表示制御手段は、一括削除指示が行われた複数の画面表示要素の全てが、削除された場合でも問題が発生しない画面表示要素である場合、削除可否を確認するための確認画面を前記表示手段上で一度だけ表示する、または前記確認画面を表示しないよう制御する請求項１記載の情報処理装置。
【請求項１１】
削除された場合でも問題が発生しない画面表示要素が、予め用意されている基本的機能に対応した画面表示要素である請求項１０記載の情報処理装置。
【請求項１２】
画面上に表示された複数の画面表示要素を一括して削除する指示である一括削除指示を受け付ける受付ステップと、
前記受付ステップにおいて一括削除指示が受け付けられた際に、一括削除指示が行われた複数の画面表示要素が予め設定された条件を満たす場合、報知内容の異なる削除可否を確認するための複数の確認画面を前記表示手段上で段階的に表示するよう制御する表示制御ステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、ディスプレイ上の画面編集エリアから画面部品を削除する際に、ある特定の属性の画面部品を全て一括して画面編集エリア上から削除する複数一括削除方式が開示されている。
【０００３】
特許文献２には、即時実行型のショートカット機能の実行時に、通常はユーザに確認画面を表示しない簡易手順で特定の機能が実行されるが、確認処理実行条件が成立している場合は、ユーザに確認画面を表示する準簡易手順で特定の機能が実行されるようにした機能実行装置が開示されている。
【先行技術文献】
【特許文献】
【０００４】
【特許文献１】特開平０９−２９２９６０号公報
【特許文献２】特開２０１５−１９４９４１号公報
【発明の概要】
【発明が解決しようとする課題】
【０００５】
本発明の目的は、アイコン等の複数の画面表示要素を一括して削除する一括削除指示が行われた際に、複数の画面表示要素を一括して削除して良いか否かを使用者が判断することが可能な情報処理装置およびプログラムを提供することである。
【課題を解決するための手段】
【０００６】
［情報処理装置］
請求項１に係る本発明は、画面に表示する構成要素である画面表示要素を画面上に複数表示可能な表示手段と、
前記表示手段により表示された複数の画面表示要素を一括して削除する指示である一括削除指示を受け付ける受付手段と、
前記受付手段により一括削除指示が受け付けられた際に、一括削除指示が行われた複数の画面表示要素が予め設定された条件を満たす場合、報知内容の異なる削除可否を確認するための複数の確認画面を前記表示手段上で段階的に表示するよう制御する表示制御手段とを備えた情報処理装置である。
【０００７】
請求項２に係る本発明は、前記複数の確認画面が、複数の画面表示要素に対する一括の削除指示を行う際の一般的な注意を表した上で削除可否を確認する第１の確認画面と、今回の削除指示が行われた複数の画面表示要素に実際含まれている画面表示要素が削除された場合に発生する問題を表した上で削除可否を確認する第２の確認画面とを含む請求項１記載の情報処理装置である。
【０００８】
請求項３に係る本発明は、前記第１の確認画面が、一括削除する複数の画面表示要素に、使用者により予め設定された内容の処理を実行するための画面表示要素、または削除されると有効であった特定の機能が無効となってしまう画面表示要素が含まれている場合に、問題が発生する旨を報知した上で削除可否を確認する確認画面である請求項２記載の情報処理装置である。
【０００９】
請求項４に係る本発明は、前記複数の確認画面が、画面表示要素が削除されることにより発生する問題の種類毎に当該問題が発生する理由を表して削除可否を確認する複数の確認画面である請求項１記載の情報処理装置である。
【００１０】
請求項５に係る本発明は、画面表示要素が削除されることにより発生する問題の種類毎に当該問題が発生する理由を表して削除可否を確認する複数の確認画面が、削除された画面表示要素を復元するためには、再作成に時間を要する旨を表した確認画面、その画面表示要素を削除すると他の使用者に影響を及ぼす旨を表した確認画面、およびその画面表示要素を削除すると有効であった特定の機能が無効となってしまう旨を表した確認画面のうちのいずれか複数を含む請求項４記載の情報処理装置である。
【００１１】
請求項６に係る本発明は、前記受付手段により受付けられる一括削除指示が、複数の画面表示要素が配置されたページに対する削除指示である請求項１から５のいずれか記載の情報処理装置である。
【００１２】
請求項７に係る本発明は、前記ページに対する削除指示が、同一階層上に配置された全画面表示要素を一括して削除する指示である請求項６記載の情報処理装置である。
【００１３】
請求項８に係る本発明は、前記ページに対する削除指示が、同一階層上に配置された全画面表示要素のうち、画面上において視認可能な画面表示要素を一括して削除する指示である請求項６記載の情報処理装置である。
【００１４】
請求項９に係る本発明は、前記受付手段により受付けられる一括削除指示が、複数の画面表示要素が含まれたフォルダに対する削除指示である請求項１から５のいずれか記載の情報処理装置である。
【００１５】
請求項１０に係る本発明は、前記表示制御手段が、一括削除指示が行われた複数の画面表示要素の全てが、削除された場合でも問題が発生しない画面表示要素である場合、削除可否を確認するための確認画面を前記表示手段上で一度だけ表示する、または前記確認画面を表示しないよう制御する請求項１記載の情報処理装置である。
【００１６】
請求項１１に係る本発明は、削除された場合でも問題が発生しない画面表示要素が、予め用意されている基本的機能に対応した画面表示要素である請求項１０記載の情報処理装置である。
【００１７】
[プログラム]
請求項１２に係る本発明は、画面上に表示された複数の画面表示要素を一括して削除する指示である一括削除指示を受け付ける受付ステップと、
前記受付ステップにおいて一括削除指示が受け付けられた際に、一括削除指示が行われた複数の画面表示要素が予め設定された条件を満たす場合、報知内容の異なる削除可否を確認するための複数の確認画面を前記表示手段上で段階的に表示するよう制御する表示制御ステップとをコンピュータに実行させるためのプログラムである。
【発明の効果】
【００１８】
請求項１に係る本発明によれば、複数の画面表示要素を一括して削除する一括削除指示が行われた際に、複数の画面表示要素を一括して削除して良いか否かを使用者が判断することが可能な情報処理装置を提供することができる。
【００１９】
請求項２に係る本発明によれば、複数の画面表示要素を一括して削除する一括削除指示が行われた際に、使用者は、一般的な注意とともに今回の削除指示が行われた場合に発生する問題を知った上で、複数の画面表示要素を一括して削除して良いか否かを使用者が判断することが可能な情報処理装置を提供することができる。
【００２０】
請求項３に係る本発明によれば、一括削除する複数の画面表示要素に、使用者により予め設定された内容の処理を実行するための画面表示要素、または削除されると有効であった特定の機能が無効となってしまう画面表示要素が含まれている場合の一般的な注意を使用者に報知することが可能な情報処理装置を提供することができる。頑張る
【００２１】
請求項４に係る本発明によれば、複数の画面表示要素を一括削除する際に、画面表示要素が削除されることにより発生する問題の種類毎に、その問題が発生する理由を使用者に報知することが可能な情報処理装置を提供することができる。
【００２２】
請求項５に係る本発明によれば、複数の画面表示要素を一括削除する際に、画面表示要素が削除されることにより発生する問題の種類毎に、その問題が発生する理由を使用者に報知することが可能な情報処理装置を提供することができる。
【００２３】
請求項６に係る本発明によれば、複数の画面表示要素が配置されたページを一括して削除する一括削除指示が行われた際に、複数の画面表示要素を一括して削除して良いか否かを使用者が判断することが可能な情報処理装置を提供することができる。
【００２４】
請求項７に係る本発明によれば、複数の画面表示要素が同一階層上に配置されたページを一括して削除する一括削除指示が行われた際に、複数の画面表示要素を一括して削除して良いか否かを使用者が判断することが可能な情報処理装置を提供することができる。
【００２５】
請求項８に係る本発明によれば、同一階層上に配置された全画面表示要素のうち視認可能な画面表示要素を一括して削除する一括削除指示が行われた際に、複数の画面表示要素を一括して削除して良いか否かを使用者が判断することが可能な情報処理装置を提供することができる。
【００２６】
請求項９に係る本発明によれば、中身に含まれる複数の画面表示要素を視認することができないフォルダを一括して削除する一括削除指示が行われた際に、複数の画面表示要素を一括して削除して良いか否かを使用者が判断することが可能な情報処理装置を提供することができる。
【００２７】
請求項１０に係る本発明によれば、一括削除指示が行われた複数の画面表示要素の全てが、削除された場合でも問題が発生しない画面表示要素である場合に、不必要な確認画面が表示されないようにすることが可能な情報処理装置を提供することができる。
【００２８】
請求項１１に係る本発明によれば、一括削除指示が行われた複数の画面表示要素の全てが、削除された場合でも問題が発生しない予め用意されている基本的機能に対応した画面表示要素である場合に、不必要な確認画面が表示されないようにすることが可能な情報処理装置を提供することができる。
【００２９】
請求項１２に係る本発明によれば、複数の画面表示要素を一括して削除する一括削除指示が行われた際に、複数の画面表示要素を一括して削除して良いか否かを使用者が判断することが可能なプログラムを提供することができる。
【図面の簡単な説明】
【００３０】
【図１】本発明の一実施形態の画像形成システムの構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】画像形成装置１０のタッチパネル４０上に表示される標準メニュー画面例を示す図である。
【図５】図４に示された標準メニュー画面の表示内容を拡大したものを示す図である。
【図６】標準メニュー画面において、あるユーザＡがログインした後の状態を示す図である。
【図７】ユーザＡのカスタムメニュー画面例を示す図である。
【図８】カスタムメニュー画面上に基本アイコンを追加する際の操作例を示す図である。
【図９】プライベートプリント画面の一例を示す図である。
【図１０】プライベートプリント画面ダイレクト表示機能を説明するための図である。
【図１１】カスタムメニュー画面の編集画面例を示す図である。
【図１２】ページ削除釦５４がタッチ（押下）された場合の画像形成装置１０の動作を説明するためのフローチャートである。
【図１３】ページ削除釦５４がタッチ（押下）された場合の画像形成装置１０の動作を説明するためのフローチャートである。
【図１４】一般的な注意を表した確認画面例を示す図である。
【図１５】プライベートプリント画面ダイレクト表示機能が無効になる旨の確認画面例１を示す図である。
【図１６】削除されたワンタッチアプリアイコンを復旧させるためには再作成が必要な旨の確認画面例２を示す図である。
【図１７】ワンタッチアプリアイコンを一旦削除すると、他のユーザがそのアイコンを使用できなくなる旨の確認画面３を示す図である。
【図１８】タッチパネル４０の表示領域に対するページの概念例を説明するための図である。
【図１９】グレイアウト表示を行った場合の編集画面例を示す図である。
【図２０】フォルダアイコン５５を削除することにより格納されている複数のアイコンを一括削除するような場合を説明するための図である。
【発明を実施するための形態】
【００３１】
次に、本発明の実施の形態について図面を参照して詳細に説明する。
【００３２】
図１は本発明の一実施形態の画像形成システムの構成を示す図である。
【００３３】
本発明の一実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００３４】
次に、本実施形態の画像形成システムにおける画像形成装置１０のハードウェア構成を図２に示す。
【００３５】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００３６】
プリントエンジン１７は、帯電、露光、現像、転写、定着などの工程を経て印刷用紙等の記録媒体上に画像を印刷する。
【００３７】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３８】
図３は、上記の制御プログラムが実行されることにより実現される画像形成装置１０の機能構成を示すブロック図である。
【００３９】
本実施形態の画像形成装置１０は、図３に示されるように、制御部３１と、表示部３２と、記憶部３３と、画像読取部３４と、操作受付部３５と、通信部３６と、画像出力部３７とを備えている。
【００４０】
表示部３２は、液晶パネル等の表示装置により構成され、各種アプリケーションプログラム（以下アプリと略す。）に対応したアイコンを画面上に複数表示可能な構成となっている。ここで、アイコンとは、特定のアプリや機能を起動させたり、特定の画面に遷移したりするための操作位置を示すための絵柄図形等の画面に表示する画面表示要素の１つであり、アイコン以外の画面表示要素としては、ウィジェット、ショートカット等が存在する。なお、この絵柄図形には、単にデザインされた図形だけでなく、アルファベット、ひらがな、カタカタ、漢字等の各種文字が含まれる場合もある。
【００４１】
操作受付部３５は、ユーザからの画像形成装置１０に対する各種操作を受け付ける。なお、本実施形態では、操作受付部３５は、表示部３２により表示された複数のアイコンを一括して削除する指示である一括削除指示を受け付ける。
【００４２】
なお、本実施形態では、上記で説明した表示部３２と操作受付部３５とによりタッチパネルが構成される。
【００４３】
記憶部３３は、制御部３１による処理が行われる際の途中の画像データ等を一時的に記憶するためのメモリである。画像読取部３４は、セットされた原稿を読取って画像データに変換する処理を行っている。
【００４４】
通信部３６は、端末装置２０等の外部装置との間でデータの送受信を行い、端末装置２０からの印刷ジョブを受信したり、画像データをファクシミリ送信したり、電子メールの送受信等を行っている。
【００４５】
画像出力部３７は、制御部３１による指示に基づいて動作を行って、画像データを印刷用紙等の記録媒体上に印刷して出力する処理を実行する。
【００４６】
制御部３１は、表示部３２、記憶部３３、画像読取部３４、操作受付部３５、通信部３６、画像出力部３７等を制御して、印刷処理、複写処理、原稿画像の読取り処理等の様々な処理を実行している。
【００４７】
そして、制御部３１は、操作受付部３５により一括削除指示が受け付けられた際に、一括削除指示が行われた複数のアイコンが予め設定された条件を満たす場合、報知内容の異なる削除可否を確認するための複数の確認画面を表示部３２上で段階的に表示するよう制御する。
【００４８】
具体的には、制御部３１は、操作受付部３５により一括削除指示が受け付けられた際に、一括削除指示が行われた複数のアイコンが予め設定された条件を満たす場合、先ず大まかな注意喚起を促す確認画面を表示部３２上に表示した後に、細かい注意喚起を促す確認画面を表示部３２上に段階的に表示する。
【００４９】
例えば、制御部３１は、複数のアイコンに対する一括の削除指示を行う際の一般的な注意を表した上で削除可否を確認する確認画面（第１の確認画面）と、今回の削除指示が行われた複数のアイコンに実際含まれているアイコンが削除された場合に発生する問題を表した上で削除可否を確認する確認画面（第２の確認画面）とを表示部３２上で段階的に表示する。
【００５０】
より具体的に説明するとは、制御部３１は、一般的な注意を表した上で削除可否を確認する確認画面として、一括削除する複数のアイコンに、ワンタッチアプリアイコン、または削除されると有効であった特定の機能が無効となってしまうアイコンが含まれている場合に、問題が発生する旨を報知した上で削除可否を確認する確認画面を表示部３２上に表示する。
【００５１】
ここで、ワンタッチアプリアイコンとは、コピー、プリント、スキャン等の基本的なアプリに対してユーザが良く使用する設定内容を予め登録しておくようにしたユーザ毎に機能をカスタマイズしたワンタッチアプリを実行するためのアイコン、つまりユーザにより予め設定された内容の処理を実行するためのアイコンである。
【００５２】
また、制御部３１は、類似する情報のくくり毎にそれぞれ報知内容の異なる複数の確認画面を段階的に表示部３２上に表示するようにしても良い。
【００５３】
例えば、制御部３１は、アイコンが削除されることにより発生する問題の種類毎に、その問題が発生する理由を表して削除可否を確認する複数の確認画面を段階的に表示部３２上に表示するようにしても良い。
【００５４】
具体的には、制御部３１は、アイコンが削除されることにより発生する問題の種類毎にその問題が発生する理由を表して削除可否を確認する複数の確認画面として、削除されたアイコンを復元するためには、再作成に時間を要する旨を表した確認画面、そのアイコンを削除すると他のユーザに影響を及ぼす旨を表した確認画面、およびそのアイコンを削除すると有効であった特定の機能が無効となってしまう旨を表した確認画面のうちのいずれか複数の確認画面を表示部３２上に段階的に表示する。
【００５５】
なお、操作受付部３５により受付けられる一括削除指示の具体例としては、複数のアイコンが配置されたページに対する削除指示が挙げられる。
【００５６】
なお、制御部３１は、複数のアイコンが配置されたページに対する削除指示が行われた場合に、そのページの同一階層上に配置された全アイコンを一括して削除する指示として処理を実行しても良いし、同一階層上に配置された全アイコンのうち、画面上において視認可能なアイコンのみを一括して削除する指示として処理を実行しても良い。
【００５７】
さらに、操作受付部３５により受付けられる一括削除指示の具体例としては、複数のアイコンが含まれたフォルダに対する削除指示が挙げられる。
【００５８】
なお、制御部３１は、一括削除指示が行われた複数のアイコンの全てが、削除された場合でも問題が発生しないアイコンである場合、削除可否を確認するための確認画面を表示部３２上で一度だけ表示する、またはこのような確認画面を表示しないよう制御するようにしても良い。
【００５９】
なお、削除された場合でも問題が発生しないアイコンとしては、予め用意されている基本的機能に対応したアイコン（基本アイコン）が該当する。ここで、基本アイコンとは、自装置に予めインストールされているアプリに対応するアイコンが該当である。
【００６０】
次に、本実施形態の画像形成装置１０の動作について図面を参照して詳細に説明する。
【００６１】
本実施形態の画像形成装置１０では、上記で説明した表示部３２および操作受付部３５によりタッチパネル４０が構成されている。先ず、本実施形態の画像形成装置１０のタッチパネル４０の表示内容の一例を図４に示す。
【００６２】
図４は、画像形成装置１０のタッチパネル４０上に表示される標準メニュー画面例を示す図である。この標準メニュー画面の表示内容を拡大したものを図５に示す。
【００６３】
図５に示された標準メニュー画面例では、ある機能の実行を選択するための複数のアイコン４１〜４５がタッチパネル４０上に表示されている。
【００６４】
例えば、アイコン４１は、コピー機能の実行を選択するためのアイコンでありユーザが指でタッチして選択することによりコピーアプリケーションプログラムが起動してユーザはコピー機能を利用することができるようになる。同様にアイコン４２〜４５は、それぞれ、スキャン機能、ファクシミリ機能、電子メール送受信機能、機器設定機能を実行するための基本アイコンである。
【００６５】
このような標準メニュー画面は複数ユーザにより共用で使用されるものであるため、各ユーザがカスタマイズして使用することができるカスタムメニュー画面がそれぞれのユーザ毎に用意されている。
【００６６】
各ユーザは、図５に示した標準メニュー画面においてログインまたは認証を受けることにより、ユーザ毎のカスタムメニュー画面に移行することができるようになっている。
【００６７】
なお、標準メニュー画面において、あるユーザＡがログインした後の状態を図６に示す。図６に示した画面例では、カスタムメニュー画面釦４６が表示されていて、ユーザＡは、このカスタムメニュー画面釦４６をタッチすることによりカスタムメニュー画面に移行することができる。
【００６８】
このような操作により表示されるユーザＡのカスタムメニュー画面例を図７に示す。カスタムメニュー画面例では、それぞれのユーザが利用し易いように、各アイコンの配置位置を変更したり、新たな基本アイコンを追加したり、作成したワンタッチアプリアイコンを配置することが可能である。
【００６９】
カスタムメニュー画面上に基本アイコンを追加する際の操作例を図８に示す。
【００７０】
例えば、図８に示すような基本アイコンの追加画面からカスタムメニュー画面上に追加したいアイコンを選択することにより、選択されたアイコンをカスタムメニュー画面上に追加することが可能となっている。なお、図８では、「プライベートプリント（かんたん確認）」という基本アイコンを追加する場合の操作例が示されている。
【００７１】
図７に示したカスタムメニュー画面例では、各種の基本アイコンに加えて、ワンタッチアプリアイコン５１およびプライベートプリントアイコン５２が配置されている様子が示されている。
【００７２】
このプライベートプリントアイコン５２は、上述したように複数の基本アイコンのうちの１つであり、プライベートプリント画面に遷移するためのアイコンである。
【００７３】
ユーザＡがこのプライベートプリントアイコン５２をタッチすることにより遷移するプライベートプリント画面の一例を図９に示す。
【００７４】
ここで、プライベートプリントとは、端末装置２０が送信されてきた印刷ジョブ（印刷指示）を一旦蓄積して、ユーザからの出力指示を受けて印刷処理を実行する蓄積プリントである。
【００７５】
この図９に示されたプライベートプリント画面では、ユーザＡから送信された印刷ジョブの一覧画面が表示されており、ユーザＡは、この一覧表示の中から実際に印刷処理を実行したい印刷ジョブのみを選択して印刷処理の実行を指示することができるようになっている。図９に示されたプライベートプリント画面例では、「○月度請求書」、「明細書一覧」という文書データが選択される様子が示されている。
【００７６】
このようにユーザＡは、カスタムメニュー画面上にプライベートプリントアイコン５２を配置しておくことにより、上記で説明したようなプライベートプリント画面への遷移をワンタッチで行うことができるようになっている。
【００７７】
さらに、本実施形態の画像形成装置１０では、プライベートプリント画面ダイレクト表示機能が設けられている。このプライベートプリント画面ダイレクト表示機能を有効にしている状態で、プライベートプリントアイコン５２がカスタムメニュー画面上のいずれかに配置されており、ユーザからの印刷ジョブが蓄積されている場合、標準メニュー画面からカスタムメニュー画面への遷移が指示された場合、カスタムメニュー画面を表示せずにプライベートプリント画面に直接遷移する。
【００７８】
このプライベートプリント画面ダイレクト表示機能を図１０を参照して説明する。
【００７９】
上記のような条件が満たされた場合、図１０に示すように、標準メニュー画面においてユーザＡがログイン又は認証を受けた場合で、カスタムメニュー画面釦が操作された場合、Ａさん用のカスタムメニュー画面を経由してプライベートメニュー画面を表示するのではなく、プライベートメニュー画面が直接表示されることになる。
【００８０】
なお、標準メニュー画面においてユーザがログインまたは認証成功した場合、そのユーザのカスタムメニュー画面が直接表示される機能も用意されており、その機能を有効にして上記のプライベートプリント画面ダイレクト表示機能と組み合わせることにより、標準メニュー画面でログインまたは認証成功すると、そのユーザのプライベートプリント画面を直接表示するような処理を実現することも可能である。
【００８１】
次に、このようなカスタムメニュー画面を編集する際の操作例について説明する。例えば、図７に示したようなカスタムメニュー画面例において、編集釦５３をタッチすることにより図１１に示すような編集画面に遷移する。
【００８２】
この図１１に示した編集画面例では、画面上に配置された各アイコンをそれぞれ選択して削除することができるようになっている。さらに、「このページを削除」と表示されたページ削除釦５４をタッチすることによりこのページ内に配置された全てのアイコンの一括削除を行うことが可能となっている。
【００８３】
つまり、このページ削除釦５４をタッチすることにより、画面内に表示されている８つのアイコン全てを一括して削除することが可能となっている。
【００８４】
次に、このページ削除釦５４がタッチ（押下）された場合の画像形成装置１０の動作を図１２、図１３のフローチャートを参照して説明する。
【００８５】
先ず、ページ削除釦５４がタッチされた場合、複数のアイコンに対する一括の削除指示を行う際の一般的な注意を表した上で削除可否を確認する確認画面（第１の確認画面）がタッチパネル４０上に表示される（ステップＳ１０１）。このような一般的な注意を表した確認画面例を図１４に示す。
【００８６】
図１４に示した確認画面例では、「このページを削除すると、このページに配置されていたワンタッチアプリアイコンや、削除されることにより何らかの機能が変更され得る基本アプリアイコンも削除される可能性があります。よろしいですか？」という報知内容の確認画面がポップアップ表示された場合が示されている。
【００８７】
このような報知内容の確認画面を見たユーザは、ワンタッチアプリアイコンや何らかの機能が変更され得る基本アプリアイコンも削除されてしまうことを知ることができる。
【００８８】
そして、図１４に示したような確認画面上で、ユーザが「削除する」を選択して削除実行を指示した場合（ステップＳ１０２においてｙｅｓ）、制御部３１は、削除が行われるページ内に「プライベートプリント（かんたん確認）」アイコンが配置されているかを判定する（ステップＳ１０３）。
【００８９】
ここで、削除が行われるページ内に「プライベートプリント（かんたん確認）」アイコンが配置されている場合（ステップＳ１０３においてｙｅｓ）、制御部３１は、このアイコンが削除されることにより問題が発生する旨を報知した上で削除可否を確認する確認画面をタッチパネル４０上に表示する（ステップＳ１０４）。具体的には、プライベートプリント画面ダイレクト表示機能が無効になる旨の確認画面（第２の確認画面）が表示される。このような確認画面例１を図１５に示す。
【００９０】
図１５に示した確認画面例では、「このページには「プライベートプリント（かんたん確認）」アイコンが配置されて「プライベートプリント画面ダイレクト表示機能」が有効となっていますが、このページを削除すると、「プライベートプリント画面ダイレクト表示機能」が無効となってしまいますが、よろしいですか？」という報知内容の確認画面がポップアップ表示された場合が示されている。
【００９１】
そして、図１５に示したような確認画面上で、ユーザが「削除する」を選択して削除実行を指示した場合（ステップＳ１０５においてｙｅｓ）、制御部３１は、削除が行われるページ内にワンタッチアプリアイコンが配置されているかを判定する（ステップＳ１０６）。
【００９２】
ここで、削除が行われるページ内にワンタッチアプリアイコンが配置されている場合（ステップＳ１０６においてｙｅｓ）、制御部３１は、このアイコンが削除されることにより問題が発生する旨を報知した上で削除可否を確認する確認画面をタッチパネル４０上に表示する（ステップＳ１０７）。具体的には、ワンタッチアプリアイコンを一旦削除すると、削除されたワンタッチアプリアイコンを復旧させるためには再作成が必要な旨の確認画面（第２の確認画面）が表示される。このような確認画面例２を図１６に示す。
【００９３】
図１６に示した確認画面例では、「このページにはワンタッチアプリアイコンが配置されているので、このページを削除すると、配置されていたワンタッチアプリアイコンが削除されてしまいます。削除したワンタッチアプリアイコンを復元するためには、ワンタッチアプリアイコンを再作成する必要がありますが、よろしいですか？」という報知内容の確認画面がポップアップ表示された場合が示されている。
【００９４】
そして、図１６に示したような確認画面上で、ユーザが「削除する」を選択して削除実行を指示した場合（ステップＳ１０８においてｙｅｓ）、制御部３１は、削除が行われるページ内に他のユーザと共有しているアイコンが配置されているかを判定する（ステップＳ１０９）。
【００９５】
ここで、削除が行われるページ内に他のユーザと共有しているアイコンが配置されている場合（ステップＳ１０９においてｙｅｓ）、制御部３１は、このアイコンが削除されることにより問題が発生する旨を報知した上で削除可否を確認する確認画面をタッチパネル４０上に表示する（ステップＳ１１０）。具体的には、ワンタッチアプリアイコンを一旦削除すると、他のユーザがそのアイコンを使用できなくなる旨の確認画面（第２の確認画面）が表示される。このような確認画面例３を図１７に示す。
【００９６】
図１７に示した確認画面例では、「このページにはワンタッチアプリアイコンが配置されているので、このページを削除すると、配置されていたワンタッチアプリアイコンが削除されてしまい、このワンタッチアプリアイコンを使用している一般ユーザも使用できなくなりますが、よろしいですか？」という報知内容の確認画面がポップアップ表示された場合が示されている。
【００９７】
なお、管理者権限を有するユーザがワンタッチアプリアイコンを作成した場合、他の一般ユーザも作成されたワンタッチアプリアイコンを使用することが可能となっている。そのため、管理者権限を有するユーザが作成したワンタッチアプリアイコンを削除しようとした場合、管理者権限を有するユーザが知らない間に他の一般ユーザが自己のカスタムメニュー画面に配置して使用する場合がある。このような場合、管理者権限を有するユーザがワンタッチアプリアイコンを削除しようとした際に、図１７に示したような確認画面を表示することにより、管理者権限を有するユーザに対してワンタッチアプリアイコンを削除した場合に発生し得る問題が通知されることになる。
【００９８】
なお、実際に他の一般ユーザがワンタッチアプリアイコンを使用しているか否かを判定して、他の一般ユーザがワンタッチアプリアイコンを使用している場合にのみ、図１７に示したような確認画面を表示するようにしても良い。
【００９９】
そして、図１７に示したような確認画面上で、ユーザが「削除する」を選択して削除実行を指示した場合（ステップＳ１１１においてｙｅｓ）、制御部３１は、ページ内に配置されていた全てのアイコンの削除を実行する（ステップＳ１１２）。
【０１００】
このように段階的に表示された複数の確認画面の全てにおいて、ユーザが「削除する」を選択した場合にのみ、一括削除指示が行われたページ内に配置されていた複数のアイコンを全て削除する処理が実行される。ステップＳ１０２、Ｓ１０５、Ｓ１０８、Ｓ１１１のいずれかにおいて、「削除しない」が選択された場合には、ページ内に配置されたいずれのアイコンも削除されずに処理は終了する。
【０１０１】
なお、上記で説明した例では、ページ削除釦５４が操作された場合、タッチパネル４０の画面上に表示されている複数のアイコンが一括削除する場合を用いて説明した。しかし、ページの概念によっては、１つのページ内の同一階層内に配置されている全てのアイコンが一括削除されるようにすることも可能である。
【０１０２】
具体的には、図１８に示すように、カスタムメニュー画面内の３ページにおいてアイコンが配置されているような場合、タッチパネル４０上の可視範囲６２内のアイコンのみを一括削除の対象としても良いし、同一階層の不可視範囲６１、６３内に配置されている全てのアイコンを同一ページ内のアイコンととらえて一括削除の対象としても良い。
【０１０３】
また、タッチパネル４０内の画面がスクロールするような画面において一括削除指示が行われた場合にも、実際に表示されている可視範囲内のアイコンのみを一括削除の対象とするようにしても良いし、不可視範囲内に配置されている全てのアイコンを同一ページ内のアイコンととらえて一括削除の対象としても良い。
【０１０４】
なお、このように複数ページが存在するような場合に、ページ内に配置された複数のアイコンを一括削除する場合、そのページ毎削除する場合と、そのページはブランクページとして残して配置されていたアイコンのみを削除する場合の２の削除パターンがある。ただし、ページが１ページしか存在しない場合の処理としては、ページ全体を削除するのではなくブランクページとして残す必要がある。
【０１０５】
さらに、一括削除対象の複数アイコンの中にワンタッチアプリアイコンがある場合には確認画面を表示するものとして説明したが、そのワンタッチアプリアイコンの過去の使用履歴に応じて確認画面を表示するかしないかを切替えるようにしても良い。例えば、過去に一度も使用履歴が無いワンタッチアプリアイコンについては、一括削除対象となった場合でも確認画面は表示せず、一度でも使用履歴が有るワンタッチアプリアイコンについては、一括削除対象となった場合に確認画面を表示するというようにしても良い。
【０１０６】
さらに、上記の説明では、一括削除対象の複数アイコンの中に「プライベートプリント（かんたん確認）」アイコンがある場合に確認画面を表示するものとして説明したが、この確認画面はプライベートプリント画面ダイレクト表示機能が有効な場合にのみ表示されるものである。これは、プライベートプリント画面ダイレクト表示機能が無効な場合には、「プライベートプリント（かんたん確認）」アイコンが削除されたとしても機能変更は発生しないため確認画面を表示する必要がないからである。
【０１０７】
なお、上記で説明したようなワンタッチアプリアイコンや「プライベートプリント（かんたん確認）」アイコンが一括削除されようした場合に確認画面を表示するのではなく、そもそも一括削除に対象とはできないようにしても良い。例えば、図１９に示すようにカスタムメニュー画面の編集モードに入った際に、ワンタッチアプリアイコン５１やプライベートプリントアイコン５２をグレイアウト表示する、表示色を変更等して一括削除対象ができないことが分かるような表示に変更するようにする。なお、このようなワンタッチアプリアイコン５１やプライベートプリントアイコン５２については、個別に削除可能とすれば誤って削除されることを防いで特に使い勝手が悪くならない。
【０１０８】
なお、上記の実施形態では、ページ内に配置された複数アイコンを一括削除する場合を用いて説明したが、複数アイコンを一括削除する場合はこのような場合に限定されるものではない。例えば、図２０に示すようにフォルダアイコン５５内に複数のアイコンを格納可能な場合、このフォルダアイコン５５を削除することにより格納されている複数のアイコンを一括削除するような場合にも本発明は同様に適用可能である。
【０１０９】
また、上記実施形態では、操作受付部３５により画面上に表示した複数のアイコンの一括削除指示が受け付けられた際に、制御部３１が、報知内容の異なる複数の確認画面を表示部３２上で段階的に表示するよう制御するものとして説明した。その際に、制御部３１は、個々のアイコンに対する削除可否を確認する複数の確認画面を表示部３２上で段階的に順次表示するよう制御するようにしても良い。
【０１１０】
[変形例]
上記実施形態では、画像形成装置に対して本発明を適用した場合を用いて説明したが、本発明はこれに限定されるものではなく、スマートフォン、タブレット端末装置、携帯電話装置、パソコン等の、画面上にアイコンを表示する各種情報処理装置に対しても同様に本発明を適用することができるものである。なお、スマートフォンやバソコン等においてアプリを削除する場合にはアンインストーラを起動してアプリの削除が行われる場合もある。そのため、アンインストーラ等を起動して複数のアプリを削除（アンインストール）するような一括削除指示を行う場合でも本発明は同様に適用可能である。
【符号の説明】
【０１１１】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    制御部
３２    表示部
３３    記憶部
３４    画像読取部
３５    操作受付部
３６    通信部
３７    画像出力部
４０    タッチパネル
４１〜４５    アイコン
４６    カスタムメニュー画面釦
５１    ワンタッチアプリアイコン
５２    プライベートプリントアイコン
５３    編集釦
５４    ページ削除釦
５５    フォルダアイコン
【図１】
2019057012.tif 000003
【図２】
2019057012.tif 000004
【図３】
2019057012.tif 000005
【図４】
2019057012.tif 000006
【図５】
2019057012.tif 000007
【図６】
2019057012.tif 000008
【図７】
2019057012.tif 000009
【図８】
2019057012.tif 000010
【図９】
2019057012.tif 000011
【図１０】
2019057012.tif 000012
【図１１】
2019057012.tif 000013
【図１２】
2019057012.tif 000014
【図１３】
2019057012.tif 000015
【図１４】
2019057012.tif 000016
【図１５】
2019057012.tif 000017
【図１６】
2019057012.tif 000018
【図１７】
2019057012.tif 000019
【図１８】
2019057012.tif 000020
【図１９】
2019057012.tif 000021
【図２０】
2019057012.tif 000022